(57)【要約】【課題】本発明は、小型、軽量で日常の携帯にも適し、また、外観上、愛敬が有り、可愛いと感じられ、癒しの効果があり、また、一見してマッサージ器に見えず、ぬいぐるみや玩具としてディスプレイ出来る、動物型や人型のぬいぐるみ等の人形玩具の外観を持つ電動マッサージ器を提供する。【解決手段】コミカルな小型のぬいぐるみの体内にバッテリー、バッテリーケースと、振動部調整ボリュームを、頭部内部にリード線巻き取り装置を、外観の美観を損なわずに内蔵し、また、内部機構周辺にクッション材を配し、更に、振動部も本体のキャラクターとマッチしたコミカルでカラフルな物とし、更に磁石を内蔵した両腕により、その振動部を保持出来るようにした、また、衣類を着用させ、着替えも楽しめるものとした。それにより非使用状態でも一つのキャラクターとして成立し、ぬいぐるみや、玩具として、ディスプレイ出来る物とした。【選択図】図１
2004298462.tif 000002
【特許請求の範囲】
【請求項１】
外観がぬいぐるみ等のファンシーグッズや、人形玩具の本体に内蔵された、内部機構により、付属の振動部を振動させる事でマッサージを行う、動物及び人型の電動マッサージ器。
【請求項２】
本体内部機構の振動部ボリュームが、本体の尻尾等の体の部位となっている事で、外観を損なわずに、振動部の振動数調整及びＯＮ、ＯＦＦ操作の出来る、動物及び人型の電動マッサージ器。
【請求項３】
本体と振動部を繋ぐリード線を自動で巻き取る機能を有する、動物及び人型の電動マッサージ器。
【請求項４】
本体のキャラクターに関連する形状の振動部を有し、非使用時には、本体が振動部を保持する事が出来、本体と振動部とで、ひとつのキャラクターとして成立する為、ぬいぐるみや、玩具としてディスプレイする事が出来る、動物及び人型の電動マッサージ器。
【請求項５】
人形本体が衣類を着用しており、更に、数種類の着せ替え用衣類が設定されている為、使用者の好みに合わせた着せ替えが出来、個性を持たす事が出来る、動物及び人型の電動マッサージ器。
【発明の詳細な説明】
【０００１】
【発明の属する技術分野】
本発明は、小型、軽量で日常の携帯にも適し、また、外観上、愛敬が有り、可愛いと感じられ、癒しの効果があり、また、一見してマッサージ器に見えず、ぬいぐるみや玩具としてディスプレイ出来る、動物型や人型のぬいぐるみ等の人形玩具の外観を持つ電動マッサージ器に関する。
【０００２】
【従来の技術】
従来、家庭用には、種々の周知の電動マッサージ器が有ります。例えば、大型の物では椅子式のマッサージチェア、マッサージベット等。中型の物では、ハンディータイプのそれぞれ叩き式、揉み式、振動式のマッサージ器、また、置き型のマッサージ器等。小型の物では、スティックタイプの振動マッサージ器等。このような様々な物が有ります。その中の、小型のマッサージ器に付いての従来技術について記載します。従来の小型マッサージ器は、スティックタイプの物が殆どで、各製品が、非常に類似しており、新しさや、個性や特徴が無く、外観のデザインやカラーリングが重視されておらずスタイリッシュな物が無かった。また、それにより、あまり購買欲をそそられる物が無かった。ただし、スティックタイプに磁石を配し工夫した物はある（例えば、特許文献１参照）。また、外観上、ファンシーグッズやぬいぐるみ等の人形玩具のように愛敬やユーモアが有り、親しみやすく、可愛いと感じられる、癒しの効果のある物は無かった。また、一部、動物形状をしておりデザイン的に優れた物はあるが、振動数調整機能が無く、また、動物形状の本体自体が振動部となる為、本体が硬質であると考えられ、ファンシーグッズや、ぬいぐるみ等の持つ、外観上と感触の両面から得られる柔らかさや暖かさが無い物はあった（例えば、特許文献２参照）。また、電池ボックスと振動部が別体になっておりリード線によって繋がれたタイプの物は、収納の際にリード線が非常に収納し辛く邪魔であったが、リード線を自動で巻き取る機能を持つ物は無かった。
【０００３】
【特許文献１】特開平０７−２９９１５１号公報（第３項、図３）
【特許文献２】実用新案登録第３０６９５２８号（第２項、図１）
【０００４】
【発明が解決しようとする課題】
従来の小型マッサージ器は、スティックタイプの物が殆どであり、各製品の類似性が高く、新しさや、個性や特徴が無く、デザインや外観が重視されている物が無かった。また、それにより、あまり購買欲をそそられる物が無かった。また、外観上、ファンシーグッズやぬいぐるみ等の人形玩具のように愛敬やユーモアが有り、親しみやすく、可愛いと感じられる、癒しの効果のある物は無く、また、そのままディスプレイして、ぬいぐるみや人形玩具として楽しめる物は無かった。また、電池ボックスと振動部がリード線によって繋がれたタイプの物は、収納の際にリード線が非常に収納し辛く邪魔であったが、リード線を自動で巻き取る機能を持つ物は無かった。本発明は、以上のような欠点を無くすためになされたものである。
【０００５】
【課題を解決するための手段】上述した目的を達成する為にこの発明は、まず、ぬいぐるみの本体内に電池２本と、ＯＮ，ＯＦＦスイッチを兼ねたダイヤル式のレジスターを配し、レジスターの調整ノブを、ぬいぐるみのちょうど尻尾にあたる部分から突出させ、本体と同一の素材で、ノブを包みそれを尻尾とし、外観を損なわずに、偏心ローター付きのモーターを内蔵した振動部のＯＮ，ＯＦＦと振動数の調整が出来る物とした。また、この内部機構の周辺には、綿等のクッション材を配し、ぬいぐるみを触った際の、柔らかさや、質感を損なわない物とした。
【０００６】更に、ぬいぐるみ頭部内部には、巻きバネ式のリード線巻き取り機構を配し、振動部と本体内部機構とを繋ぐリード線を自動で巻き取れるようにした。また、この巻き取り装置の周辺にも、綿等にクッション材を配し、ぬいぐるみを触った際の、柔らかさを損なわない物とした。
【０００７】この発明は更に、振動部の形状を本体のキャラクターに関連のあるアイテムとし、非使用時には、本体の腕先に内蔵した磁石により、その振動部を両腕で抱きかかえるように保持出来る様にした。それにより、振動部保持状態において、本体と振動部とで、ひとつのキャラクターとして成立する為、非使用時には、ぬいぐるみや、玩具としてディスプレイして楽しむ事が出来る物とした。
【０００８】更に、本体に上下衣類を着用させ、また、数種類の衣類の設定を設け、使用者の好みに合わせた着替えが出来、使用者各自が、本品に個性を持たせて楽しめる物とした。また、それにより、リード線も上下の衣類の間から出てくるようにし、より自然な物とした。以上のような構成にする事で、本品は、外観上、愛敬やユーモアが有り、親しみやすく、可愛いと感じられる、癒しの効果のある物とし、ファンシーグッズやぬいぐるみ等の人形玩具の持つ、外観上と感触の両面から得られる柔らかさや暖かさを得られる物とした。本発明は、以上の構成よりなる動物及び人型の電動マッサージ器である。
【実施例】
以下、本発明の一実施例を図面の符号も用いて説明する。
【０００９】図１は、本発明の一実施例を示し、外観は熊をコミカルにアレンジした、赤ちゃんグマのぬいぐるみとした物です。本品は、図のような形状をしており、１の本体ボディー部の内部に、電池２本収納式の４のバッテリーケースとＯＮ，ＯＦＦスイッチを兼ねた無段階式の６の振動部調整ボリュームを設け、７の振動部調整ボリュームノブを本体ぬいぐるみのちょうど尻尾にあたる部分から突出させ、本体と同一、または、外観の美観を崩さない統一性のある素材から成る８の振動部調整ボリュームノブカバーで７を包み込み接着し、それをぬいぐるみの熊の尻尾とした。また、図５は、この内部機構詳細図で、図のような構成となっており、４、１９、２０、２１、２２、７は、アッセンブリーとなっている。また、２２のダイヤルカバーにより、１の本体外部材と２１のダイヤルとの接触を防いでいる為、７のノブを廻しても２２の内部に有る２１のダイヤルのみが廻り２２は廻らない為、１の本体外部材や、周りのクッション材を巻き込んだり、捩ったりしない構造となっている。また、これら、内部機構の周辺には、綿等のクッション材を配してある。上記のようにする事で、ぬいぐるみとしての外観を損なわずに１６のモーターを内蔵した１５の振動部のＯＮ，ＯＦＦと振動数調整の両方を行うスイッチを有する物とし、また、振動数操作時でも、外観に捻れ等の影響が出ず、外観を損なわずに操作出来る物とした。更に、ぬいぐるみの持つ、触った際の柔らかさや、質感をも有した物とした。
【００１０】また、本品の電池の交換法方は、内部機構アッセンブリーを図３の２４の下部開口部より取り出して交換する方式と、内部機構アッセンブリーは、取り出さずに、図３の２５の下部開口部を開け、図６の下部開閉式バッテリーケースの２３のバッテリーケースリッドを開け、そこから電池を取り出して交換する方式がある。操作法方は、左に廻すとＯＦＦ、右に廻していくとＯＮになり徐々に振動数を無段階に上げていくことが出来ます。
【００１１】更に本品は、２の本体ヘッド部に、９のリード線巻き取り装置を設け、９から伸びた１０のリード線アシストチューブは、１の内部を通り、本体腹部より１１のリード線巻きとリ口が外部に露出します。図７は、このリード線巻き取り装置詳細図で、このような構造となっており、通電状態を維持したまま引き出し、巻き取りが可能です。この巻き取り装置は、２６のドラムのリード線が巻き付く部分は、１２の巻きとり用リード線の幅のリブ形状に加工されており、リード線の巻き取りをスムーズにアシストします。また、１２の巻き取り用リード線は、２本のビニール被覆線を束ね、更にビニール被覆した丸断面の柔軟なリード線を用い、巻き取りやすく、引っ張り強度も高い物とした。使用法は、まず、１２を引き出す際は、カチカチという音と共に２８の巻きバネを巻きながら、スムーズに出てきます。次に、手を離すと、戻り側にドラムが廻り、３２のワンウェイストッパーが、３０のワンウェイストッパーバーに引っ掛かり停止します。次に、巻き戻す際は、３６のリバーススイッチを押す事で、３０のワンウェイストッパーバーが、３２から外れ、自動で巻き戻ります。これにより、本体の１１より、１２をスムーズに引き出す事が出来、また、２の本体ヘッド部側面を、押す事で３６が押され、スムーズに１２が巻き戻されます。上記により、従来、収納時に非常に収納し辛く邪魔になっていたリード線がスムーズに出し入れ出来、非常に、使い勝手の良い快適な物とした。また、３６のリバーススイッチや、３０，３２の無いタイプの巻き取り装置のバリエーションもあり、このタイプの１２を引き出した際の保持は、先端に１４の磁石を内蔵した、３の本体アーム部両側で挟む事によって行うことが出来る。
【００１２】更に、本品は、振動部の形状を本体のキャラクターに関連のあるアイテムとしカラフルに彩色を施した。この実施例の赤ちゃんグマには、図１の１５の哺乳ビン型の振動部をセットにした。１５は、回転軸に１７の偏心ローターを設けた１６のモーターを内蔵し、モーターの軸が回転する事で振動を発生する。また、１５は、上端の哺乳ビンの吸い口に当たる突起部に振動が集中し、通常の半球型よりも、強い振動が得られ、ツボ刺激に適している。このように１５は、本体のキャラクターにマッチし、尚且つ、性能も兼ねた合理的な形状の物となっている。更に、その他にも振動部のバリエーションが有り、赤ちゃんのキャラクターには、図８のアイス型、２段アイス型、ソフトクリーム型、長靴型等が有ります。その他にも、図９に記載の、イヌのキャラクターには骨型の振動部。ウザギのキャラクターにはニンジン型の振動部。子供のキャラクターにはエンピツ型の振動部などが有ります。どの振動部も本体キャラクターとマッチし、尚且つ形状に意味を持たせた物となっています。尚、上記のように、本体キャラクター形状は、動物型や、人型等のバリエーションが有るが、材質に付いても、ぬいぐるみタイプや、タオル生地タイプや、ソフトビニールタイプ等のバリエーションがあり、形状や、材質に限定は無い。
【００１３】また、本品は、３の本体アーム部両側の先端内側に１４の磁石を内蔵したことにより、１２のリード線を１３のストッパーまで巻き戻した状態の非使用時おいて、１５の振動部を両腕で抱きかかえるように保持する事が出来ます。また、１５の下部には、図のような溝が設けられており１２のリード線収納時に配線が入り込むうになっており非使用時における振動部の接地状態を向上させています。上記により、本体と振動部とが固定され一体となり、本品が非使用時の振動部保持状態においても、ひとつのキャラクターとして成立する為、違和感無く、ぬいぐるみや、ファンシーグッズ等の人形玩具としてディスプレイして楽しむ事が出来るものとした。また、コミカルな子ゾウのキャラクターに丸太型の振動部をゾウの鼻により抱えるタイプもあり。こちらは、磁石の内蔵位置が、鼻になっており、リード線アシストチューブは、鼻の中を通る為、フレキシブルな物を使用しています。
【００１４】更に、本品は、図４のように、本体の上下に衣類を着用させる事により、１２のリード線が本体の上下の衣類の間より出て来る形態とし、外観をより自然な物とした。更に、衣類にも数種類の設定を設け、使用者の好みに合わせた着替えが出来、各使用者が本品に個性を持たせて楽しめるシステムの動物及び人型の電動マッサージ器とした。
【発明の効果】この発明は、以上のように構成したので次のような効果を成し得る。
【００１５】本発明は、上記のような構造となる為、一見、ぬいぐるみや、ファンシーグッズ等の人形玩具に見え、愛敬やユーモアが有り、親しみやすく、可愛いと感じられ、癒しの効果を提供する事が出来る。また、それにより、見る者の購買欲をそそる事が出来る。
【００１６】本品は更に、ぬいぐるみや、ファンシーグッズ等の人形玩具の持つ質感や暖かさや、柔らかさ、また、外観を損なわずに、マッサージ器の機能を有し、振動部のＯＮ，ＯＦＦと無段階の振動数調整が可能である。
【００１７】本品は更に、従来、収納の際に非常に収納し辛く邪魔になっていたリード線が収納状態からスムーズに引き出す事が出来、更に、好みの長さで任意に止める事が出来、また、自動で巻き取る事が出来る、非常に使い勝手の良い快適な物となった。
【００１８】また、どの振動部も本体のキャラクターとマッチした、カラフルでコミカルなアイテムとなっている。また、１５の振動部は、上端の哺乳ビンの吸い口に当たる突起部に振動が集中し、通常の半球型よりも、強い振動が得られ、ツボ刺激に適した物となった。このように、形状がコミカルで意味のある、性能も兼ねた合理的な形状の振動部となった。
【００１９】また、３の磁石内蔵のアーム部により、３６のリバーススイッチ等の無いタイプの巻き取り装置の１２のリード線を引き出した際の保持が出来合理的である。また、使用時にパイプ椅子等の、金属部に本体をぶら下げた状態にて使用する事も出来、本体を持っている必要が無く、使い易い。また、それらの様は、非常に滑稽で愛らしい。更に、非使用時において１２のリード線を巻き戻した状態の１５の振動部を両腕で抱きかかえるように保持する事が出来ます。更に振動部の接地状態も良い為、本体と振動部とが固定され一体となり、非使用時の振動部保持状態において、ひとつのキャラクターとして成立し、違和感無く、ぬいぐるみや、玩具としてディスプレイして楽しむ事が出来るものとなった。
【００２０】本品は更に、本体の上下に衣類を着用させる事により、１２のリード線が本体の上下の衣類の間より出て来る形態となり、外観がより自然な物となった。更に、衣類にも数種類の設定を設け、使用者の好みに合わせた着替えが出来るシステムとし、各使用者が本品に個性を持たせて楽しむことが出来るものとなった。このように本発明のマッサージ器は、一見、ぬいぐるみや、ファンシーグッズ等の人形玩具に見え、その外観から愛敬やユーモアが有り、親しみやすく、可愛いと感じられ、癒しの効果を提供する事が出来ます。また、それにより消費者の購買欲をそそる物となっています。また、本体内部にクッション材を配する事で、それらが持つ、外観上と感触の両面から得られる柔らかさや暖かさを得られ、更に、その質感や、柔らかさ等を損なわずにマッサージ器の機能を内蔵した物となっています。また、それらにより通常の小型マッサージ器を携帯するよう感覚と異なり、本品に愛着が持て、更に、小型である為、携帯し易い。また、従来、邪魔となっていたリード線の、巻き取り機能も有し、更に、キャラクターとマッチしたコミカルで合理的な振動部を有し、また、それらを、両腕にて抱えて保持する事が出来ます。その為、非使用時の、振動部保持状態でも、一つのキャラクターとして成立し、ファンシーグッズやぬいぐるみ等の、人形玩具としてディスプレイして、楽しむ事が出来る、動物及び人型の電動マッサージ器であります。
【図面の簡単な説明】
【図１】この発明に係る動物及び人型の電動マッサージ器の側面断面図である。
【図２】この発明に係る動物及び人型の電動マッサージ器の正面図である。
【図３】この発明に係る動物及び人型の電動マッサージ器の底面図である。
【図４】この発明に係る動物及び人型の電動マッサージ器の斜視図である。
【図５】この発明に係る動物及び人型の電動マッサージ器の本体ボディー部内部機構側面図である。
【図６】この発明に係る動物及び人型の電動マッサージ器の本体ボディー部内部機構、下部開閉式バッテリーボックス斜視図ある。
【図７】この発明に係る動物及び人型の電動マッサージ器のリード線巻き取り装置正面断面図である。
【図８】この発明に係る動物及び人型の電動マッサージ器の振動部斜視図である。
【図９】この発明に係る動物及び人型の電動マッサージ器の振動部斜視図である。
【符号の説明】
１    本体ボディー部
２    本体ヘッド部
３    本体アーム部
４    バッテリケース
５    電池
６    振動部調整ボリューム
７    振動部調整ボリュームノブ
８    振動部調整ボリュームノブカバー
９    リード線巻き取り装置
１０  リード線アシストチューブ
１１  リード線巻き取り口
１２  巻き取り用リード線
１３  リード線ストッパー
１４  磁石
１５  振動部
１６  モーター
１７  偏心ローター
１８  リード線
１９  レジスターカラー
２０  ＯＮ，ＯＦＦスイッチとレジスター部
２１  振動部調整ダイヤル
２２  振動部調整ダイヤルカバー
２３  バッテリーケースリッド
２４  本体下部開口部本体内部機構取り出しタイプ
２５  本体下部開口部バッテリーケースリッドタイプ
２６  リブ形状ドラム
２７  巻き取り装置用巻きバネ
２８  巻き取り装置用巻きバネフック軸側
２９  巻き取り装置巻用きバネフックドラム側
３０  ワンウェイストッパーバー
３１  ワンウェイバーストッパー
３２  ワンウェイストッパー
３３  ワンウェイストッパーバー周り止め
３４  円形接点アウター
３５  円形接点インナー
３６  リバーススイッチ
３７  リバーススイッチリターンスプリング
【図１】
2004298462.tif 000003
【図２】
2004298462.tif 000004
【図３】
2004298462.tif 000005
【図４】
2004298462.tif 000006
【図５】
2004298462.tif 000007
【図６】
2004298462.tif 000008
【図７】
2004298462.tif 000009
【図８】
2004298462.tif 000010
【図９】
2004298462.tif 000011